(57)【特許請求の範囲】
【請求項１】
スピンドルヘッドと連動するスライドボードの両側にシートを連結すると共に、該シートの両側を回転自在な一対の巻取ドラムに巻き取り、該巻取ドラムに取付けたスプロケットホイールに無端状のチェーンを巻回し、該チェーンの主動側および従動側の平行２本の直線部に伸縮可能で引張力を有する引張部材を夫々介在設置すると共に、巻取ドラムに巻き取り力を付与する主動側の引張部材の引張力を従動側の引張部材の引張力より大きくしたことを特徴とする遮蔽シートの巻取構造。
【請求項２】
スライドボードは、両側にシートを連結するフレーム内に複数のボードを上下動自在に設置し、その内の１枚をスピンドルヘッドと連動させたものと成したことを特徴とする請求項１記載の遮蔽シートの巻取構造。
【発明の詳細な説明】
【０００１】
【発明の属する技術分野】
本発明は、マシニングセンタ等の工作機械におけるワーク台と先端にスピンドルを設けた工作部の間に配設し、ワーク加工時に工作部側へのクーラント、切屑、切粉等の飛散付着を阻止する遮蔽シートの巻取構造に関する。
【０００２】
【従来の技術】
従来、ワークを切削加工する工作機械等の加工ユニットはワーク台に対し先端にスピンドルを設けた工作部が進退自在に配設されており、かかる加工ユニットのワーク加工時に発生する切粉、クーラント等はその周辺一面に飛散するため、作業環境が悪化する欠点を有し、而も飛散した切粉の一部は工作部に付着するため、故障が発生し易い欠点を有していた。
【０００３】
そこで、進退自在なる工作部用の出没孔を設けた隔壁をワーク台と工作部の間に配設することにより、工作機械本体への飛散付着を阻止する様に成しており、かかる隔壁は工作部の上下移動および左右移動に対応する移動構成が必要であった。
その一例として、特許第２９６３３１５号公報に見られる様に、左右一対の横スライドカバーの中央部にスピンドルヘッドを挿通する縦スライドカバーを取付けた工作機械用スライドカバー装置が開発される一方、横スライドカバーをシートと成した保護カバーも開発されている。
【０００４】
このシート保護カバーの構成としては、スピンドルヘッドを挿通するスライドボードの両側に一対のシートを連結すると共に、該シートの両側端をスピンドルヘッドの両側移動端に設けた一対の第１、第２巻取ドラムで巻取るものである。
第１、第２巻取ドラムには巻取力を有するスプリングを内装して、シートを常時、引張して巻取る様にしており、スピンドルヘッドの左右移動に応じて、第１、第２巻取ドラムの一方は巻き取り、他方は巻き戻しを行って、シートを常時、緩みの無い様に張設していた。
【０００５】
【発明が解決しようとする課題】
上記構成のシート巻取構造は第１、第２巻取ドラムにスプリングを内装しているために、継続使用、金属疲労で巻取力が低下したり、切粉等の付着で故障したり、工作機械の高速化に対して巻取速度が不足する課題を有していた。
【０００６】
【課題を解決するための手段】
本発明は、上記従来技術に基づく、巻取ドラムに内装したスプリングによる巻取方式では故障したり、巻取力、巻取速度が不足する課題に鑑み、スピンドルヘッドと連動するスライドボードの両側にシートを連結すると共に、該シートの両側を回転自在な一対の巻取ドラムに巻き取り、巻取ドラムに取付けたスプロケットホイールに無端状のチェーンを巻回することによって、スライドボードの移動に連動して、一方のシートが移動すると共に、一方の巻取ドラムにおけるシートの引き出し力（巻き戻し状態）がチェーンを介して他方の巻取ドラムにおける巻き取り力となって、高速でも長期安定してシートを張設する。  又、チェーンの主動側および従動側の平行２本の直線部に伸縮可能で引張力を有する引張部材を夫々介在設置すると共に、巻取ドラムに巻き取り力を付与する主動側の引張部材の引張力を従動側の引張部材の引張力より大きくすることによって、両方の巻取ドラムに巻き取り力を付与してスライドボード両側のシートを、緩みが無く、ピンと張った状態に張設する様にして、上記課題を解決する。
【０００７】
【発明の実施の形態】
以下、本発明の一実施例を図面に基づいて説明する。
図１、２に示す様に、中央のスライドボード１の所要位置に工作機械のスピンドルヘッド２を挿通させるツール出没孔３を開口し、スライドボード１の左右両側に一対のシート４、５を連結し、該シート４、５の両側端をスライドボード１の両側移動端に設けた一対の巻取ドラム６、７に数回巻きで巻き取っている。
尚、スピンドルヘッド２を挿通するスライドボード１は、図１、２の実施例のものでは、上下移動（Ｙ軸移動）せず、左右（Ｘ軸）方向の１軸方向移動だけのものと成しているが、図６に示す実施例の様に、上下左右（ＸＹ軸）移動のものにも本発明は勿論適用され、又スライドボード１とスピンドルヘッド２は連動すれば、両者の連結構成は直接連結、間接連結を問わない。
【０００８】
図１、２に示す様に、一対の巻取ドラム６、７はスライドボード１の移動方向両側端部に設置された巻取ケース８、９内に回転自在に内装され、巻取ドラム６、７の上端から突出させた連結軸10、11にスプロケットホイール12、13を取付けると共に、該スプロケットホイール12、13に無端長円状のチェーン14を巻回させている。
両側一対のスプロケットホイール12、13間におけるチェーン14の平行２本の直線部15、16は、その機能から主動側と従動側のものに区別され、作用の欄で後述する様に、スライドボード１の移動で走行するチェーン14において、シート巻き取り力となる駆動力を伝達する図２中、後方の直線部15が主動側のものである。  詳細には、スライドボード１の移動力がシート４（作用説明と同様に一方向のみ記載）の移動力となり、シート４の移動力が巻取ドラム６およびスプロケットホイール12の回転力となり、スプロケットホイール12の回転力が後方の主動側の直線部15のチェーン14の移動力となり、主動側の直線部15のチェーン14の移動力がスプロケットホイール13および巻取ドラム７の回転力となり、巻取ドラム７の回転力がシート５のシート巻き取り力となり、チェーン14における後方の主動側の直線部15は、スライドボード１の移動力がシート巻き取り力となる駆動力を伝達する。
【０００９】
チェーン14の平行２本の直線部15、16には引張部材17、18を介在設置し、該引張部材17、18で直線部15、16の分断端19、19a 、20、20a を夫々、引張部材17、18の方向に引張している。
チェーン14における平行２本の直線部15、16において、前述の通り、後方の直線部15は主動側のもの、前方の直線部16は従動側のものであり、主動側の直線部15及び従動側の直線部16に介在設置した一対の引張部材17、18の引張力は主動側（図中、後方）のもの（引張部材17）を強くしている。
引張部材17、18としては、伸縮可能で引張力を有すればその構成を問わず、例えば、引張コイルばねでも良く、実施例ではダンパーを採用しており、図３に示す様に、シリンダー21内にピストン22、圧縮コイルばね23を内装し、ピストン22に連結したロッド24をシリンダー21から突出させ、圧縮コイルばね23がピストン22を押圧して、ロッド24をシリンダー21内に引き込む様にし、シリンダー21とロッド24の両端で引張力を有する様にしている。
【００１０】
次に本発明に係る遮蔽シートの巻取構造の作用について説明する。
例えば、図５に示す様に、一点鎖線及び実線の白抜太矢(1) で表示する様に、左側へスピンドルヘッド２及びスライドボード１が連動同時移動する場合には、白抜太矢(2) で表示する様に、スライドボード１の左方移動力で右側のシート４を引張し、右側の巻取ドラム６からシート４を引き出す様に巻き戻し、白抜太矢(3) で表示する様に、巻取ドラム６の回転と同期してスプロケットホイール12が時計回りに回転し、チェーン14の後方主動側の直線部15は右方向（シート４と逆方向）へ走行する（白抜太矢(4) (5) (6) 参照、直線部15に介在設置した引張部材17の作用は後述する）。
【００１１】
チェーン14における主動側の直線部15の右方向への走行に伴って、矢印(7) で表示する様に、左側のスプロケットホイール13を時計回り（右側のスプロケットホイール12と同一方向）に回転させ、スプロケットホイール13の回転に連動する巻取ドラム７で左側のシート５が巻き取られると共に、左側へ移動し（矢印(8) 参照）、同時に矢印(9) (11)で表示する様に、チェーン14の従動側の直線部16は左方向（スライドボード１と同方向で、主動側の直線部15とは逆方向）へ走行する。
【００１２】
上記の様に、工作機械のスピンドルヘッド２の移動はスライドボード１、右側のシート４、巻取ドラム６、上方のチェーン14の直線部15、左側の巻取ドラム７、シート５に伝達し、スライドボード１両側のシート４、５を一対の巻取ドラム６、７で巻き戻し（引き出し）、巻き取りを行い、駆動力伝達路であるチェーン14の直線部15、16の中間に配置され、白抜太矢(5) 及び矢印(10)で表示する引張部材17、18は、スライドボード１両側のシート４、５をピンと張ったり、一対の巻取ドラム６、７の径差を解消する。
尚、一対の巻取ドラム６、７の径差とは、スライドボード１が中央に位置する時には、両側一対の巻取ドラム６、７におけるシート４、５の巻き数が同一で直径も同一であるが、巻き取り、巻き戻しに応じて、シート４、５の厚さが増加、減少することにより発生するものである。
【００１３】
次に、伸縮可能な２個の引張部材17、18は引張力に差があり、図中、後方側でシート４、５と逆方向移動する主動側の引張部材17の引張力が大きく、シート４、５と順送方向の従動側の引張部材18の引張力を弱くした構成による作用を説明する。
図４に示す様に、スライドボード１の停止時、作動時ともに、一対の巻取ドラム６、７でシート４、５に巻き取り力を付与するため、右側の巻取ドラム６には反時計回り、左側の巻取ドラムには時計回りの引張力を、従動側の引張部材18の引張力より大きい引張力の主動側の引張部材17で付与して、シート４、５をピンと張っている（図中、太矢を参照）。
尚、主動側の引張部材17は収縮傾向で、従動側の引張部材18は伸張傾向である。
【００１４】
図５に示す様に、上記スライドボード１の移動による全体作用時には、右側の巻取ドラム６の時計回り回転により、主動側の直線部15が右方向へ引張され、白抜太矢(5) で表示する様に、引張部材17を介して左側の巻取ドラム７へ作用する場合は次の通りとなる。
【００１５】
先ず、全長が伸縮自在な一対の引張部材17、18（ダンパー、スプリング等）の基本的作用としては、スライドボード１の移動により、左右のシート４、５は同一量が一対の巻取ドラム６、７へ巻き取り、巻き戻しされるが、その過程において、巻き数、径差が発生して巻取ドラム６、７の回転数は相違し、巻取ドラム６、７と連動するスプロケットホイール12、13の回転数にも回転差が発生し、引張部材17、18の伸縮で主従動側の直線部15の全長、移動量を調整している。
【００１６】
即ち、右側のシート４の巻き戻しにより、巻取ドラム６の直径は減少し、逆現象となる左側の巻取ドラム７に比して、右側の巻取ドラム６の回転数は増加する一方、左側の巻取ドラム７は直径増加で減少回転数で両側のシート４、５の移動量が一致する。
そのため、主動側の直線部15の右方向引張により、左側の巻取ドラム７の回転力を付与した状態で、右側の分断端19の移動量に比して、左側の分断端19a の移動量が若干少量となり、主動側の直線部15に介在設置した引張部材17は伸張して直線部15の全長は長くなる。
尚、従動側の引張部材18にあっては、主動側の引張部材17の伸張量と同量だけ収縮する。
【００１７】
次に、図１、２に示す本発明の実施例では、スピンドルヘッド２を挿通し連動移動するスライドボード１は、ＸＹ２軸（左右上下）方向のものに適用出来るので、図６を参照して説明する。
実施例のスライドボード１は、図示しない案内レール等で左右（Ｘ軸）移動自在な矩形状フレーム27内に複数のボード28、28a …を重層状で上下動自在に設け、複数のボード28、28a …の内、中央１枚のボード28の適宜位置にツール出没孔３を設け、中央のボード28が上下移動した時に、その上下部に他のボード28、28a …が常時位置する。
そして、フレーム27の両側にシート４、５を連結している。
【００１８】
尚、本発明の遮蔽シートの巻取構造の作用として、スライドボード１が図中、左方向へ移動する例を説明したが、逆方向移動も同様であり、又中央から外側方向、外側から中央方向等の作用も同じである
【００１９】
【発明の効果】
要するに本発明は、工作機械のスピンドルヘッド２と連動するスライドボード１の両側にシート４、５を連結すると共に、該シート４、５の両側を回転自在な一対の巻取ドラム６、７に巻き取り、該巻取ドラム６、７に取付けたスプロケットホイール12、13に無端状のチェーン14を巻回したので、スライドボード１に連動移動する一方のシート４が一方の巻取ドラム６から引き出される巻き戻し回転力が、チェーン14等を介して、他方の巻取ドラム７における回転力となって、他方のシート５を巻き取ることにより、巻取ドラム６、７に巻き取り力の発生部材を内装、設置することが不要となり、高速でも長期安定してシート４、５を張設することが出来、且つ、スライドボード１の移動速度と同一速度の巻き取り力が伝導されて高速化を図ることが出来る。
【００２０】
チェーン14の主動側および従動側の平行２本の直線部15、16に伸縮可能で引張力を有する引張部材17、18を夫々介在設置すると共に、巻取ドラム６、７に巻き取り力を付与する主動側の引張部材17の引張力を従動側の引張部材18の引張力より大きくしたので、一対の巻取ドラム６、７に巻き取り力をチェーン14等を介して付与することにより、スライドボード１両側のシート４、５を、緩みが無く、ピンと張った状態に張設することが出来る。
【００２１】
スライドボード１は、両側にシート４、５を連結するフレーム27内に複数のボード28、28a …を上下動自在に設置し、その内の１枚をスピンドルヘッド２と連動させたものと成したので、工作機械のスピンドルヘッド２がＸＹ２軸方向に移動するものにも本発明の遮蔽シートを適用することが出来る等その実用的効果甚だ大である。
【図面の簡単な説明】
【図１】本発明に係る遮蔽シートの巻取構造の正面図である。
【図２】図１の平面図である。
【図３】引張部材の一例を示す拡大断面図である。
【図４】シートをピンと張る作用状態を示す正面図及び平面図である。
【図５】スライドボードの移動時の作用を示す正面図及び平面図である。
【図６】ＸＹ２軸移動可能なスライドボードに本発明を適用した場合を示す概略正面図である。
【符号の説明】
１          スライドボード
２          スピンドルヘッド
４          シート
５          シート
６          巻取ドラム
７          巻取ドラム
12          スプロケットホイール
13          スプロケットホイール
14          チェーン
15          直線部
16          直線部
17          引張部材
18          引張部材
27          フレーム
28、28a …  ボード
【図１】
0003741970.tif 000002
【図２】
0003741970.tif 000003
【図３】
0003741970.tif 000004
【図４】
0003741970.tif 000005
【図５】
0003741970.tif 000006
【図６】
0003741970.tif 000007